(57)【要約】      （修正有）【課題】一枚のシートから複数の形状の容器を形成することができる折り畳み式容器用シートを提供する。【解決手段】折り畳み式容器用シート１０は、第１の折れ線１１、第２の折れ線１２および第３の折れ線１３を備え、第１の折れ線１１、第２の折れ線１２および第３の折れ線１３が、シート１０上の中心付近の一点から径方向に沿って周縁に達するまで放射状に伸び、第３の折れ線１３が、第１の折れ線１１と第２の折れ線１２とのなす角の内側に存在し、第１の折れ線１１に沿って折り畳み、かつ第１の折れ線１１に沿って折り畳んだ向きとは逆向きに第２の折れ線１２に沿って折り畳むことで形成された容器と、第１の折れ線１１に沿って折り畳み、かつ第１の折れ線１１に沿って折り畳んだ向きとは逆向きに第３の折れ線１３に沿って折り畳むことで形成された容器とが、異なる形状を有することを特徴とする。【選択図】図１
0003147691.tif 000002
【実用新案登録請求の範囲】
【請求項１】
内容物が保持される保持部を形成可能な折り畳み式容器用シートであって、
第１の折れ線、第２の折れ線および第３の折れ線を備え、
前記第１の折れ線、前記第２の折れ線および前記第３の折れ線が、前記シート上の中心付近の一点から径方向に沿って周縁に達するまで放射状に伸び、
前記第３の折れ線が、前記第１の折れ線と前記第２の折れ線とのなす角の内側に存在し、
前記第１の折れ線に沿って折り畳み、かつ前記第１の折れ線に沿って折り畳んだ向きとは逆向きに前記第２の折れ線に沿って折り畳むことで形成された容器と、前記第１の折れ線に沿って折り畳み、かつ前記第１の折れ線に沿って折り畳んだ向きとは逆向きに前記第３の折れ線に沿って折り畳むことで形成された容器とが、異なる形状を有することを特徴とする折り畳み式容器用シート。
【請求項２】
前記第１の折れ線と前記第２の折れ線とのなす角が、１８０度以下である請求項１記載の折り畳み式容器用シート。
【請求項３】
前記第１の折れ線と前記第３の折れ線とのなす角と、前記第２の折れ線と前記第３の折れ線とのなす角とが略同一である請求項１または２記載の折り畳み式容器用シート。
【請求項４】
前記第１の折れ線、前記第２の折れ線および前記第３の折れ線が、直線である請求項１から３のいずれか一項に記載の折り畳み式容器用シート。
【請求項５】
前記シートの形状が、略正方形であり、
前記第１の折れ線が、前記シートの周縁の一辺に対して略垂直であり、
前記第２の折れ線が、前記一辺と隣接する辺に対して略垂直である請求項１から４のいずれか一項に記載の折り畳み式容器用シート。
【請求項６】
さらに、容器の底部を形成するための円形折れ線を備え、
前記円形折れ線の中心が、前記シート上の前記中心付近の一点であり、
容器形成時に前記円形折れ線に沿って、容器の内側に向かって谷折りに折り畳むことで、自立可能な形状の容器を形成可能である請求項１から５のいずれか一項に記載の折り畳み式容器用シート。
【請求項７】
前記シートの材質が、紙、ポリプロピレン、ポリエチレン、ポリオレフィン、ポリスチレン、ポリエステル、ポリエチレンテレフタレート、ポリカーボネート、ポリ乳酸からなる群から選択される少なくとも一つを含む請求項１から６のいずれか一項に記載の折り畳み式容器用シート。
【請求項８】
請求項１から７のいずれか一項に記載の折り畳み式容器用シートを折り畳むことにより形成される折り畳み式容器。
【請求項９】
さらに、形状を保持するための形状保持手段を備える請求項８記載の折り畳み式容器。
【請求項１０】
前記形状保持手段が、前記シートに形成された係止片である請求項９記載の折り畳み式容器。
【請求項１１】
前記形状保持手段が、前記シートとは別部材の挟持手段である請求項９または１０記載の折り畳み式容器。
【請求項１２】
前記内容物が、液体、固体および半固形状物の少なくとも一つである請求項８から１１のいずれか一項に記載の折り畳み式容器。
【請求項１３】
飲食用容器および生花用容器の少なくとも一つの用途に用いられる請求項８から１２のいずれか一項に記載の折り畳み式容器。
【考案の詳細な説明】
【技術分野】
【０００１】
本考案は、折り畳み式容器用シートおよびそれを折り畳むことにより形成される折り畳み式容器に関する。
【背景技術】
【０００２】
従来から、折り畳み式容器は、例えば、コップや皿などの飲食用容器等として広く用いられている。前記折り畳み式容器としては、一枚のシートを折り畳むことで形成することのできるものが提案されている（例えば、特許文献１および２参照）。しかし、従来のシートでは、一枚のシートから一つの形状の容器しか形成することができなかった。
【特許文献１】特開２００８−０６８０１３号公報
【特許文献２】特表２００６−５０２９２２号公報
【考案の開示】
【考案が解決しようとする課題】
【０００３】
そこで、本考案は、一枚のシートから複数の形状の容器を形成することができる折り畳み式容器用シートおよびそれを折り畳むことにより形成される折り畳み式容器を提供することを目的とする。
【課題を解決するための手段】
【０００４】
前記目的を達成するために、本考案の折り畳み式容器用シートは、
内容物が保持される保持部を形成可能な折り畳み式容器用シートであって、
第１の折れ線、第２の折れ線および第３の折れ線を備え、
前記第１の折れ線、前記第２の折れ線および前記第３の折れ線が、前記シート上の中心付近の一点から径方向に沿って周縁に達するまで放射状に伸び、
前記第３の折れ線が、前記第１の折れ線と前記第２の折れ線とのなす角の内側に存在し、
前記第１の折れ線に沿って折り畳み、かつ前記第１の折れ線に沿って折り畳んだ向きとは逆向きに前記第２の折れ線に沿って折り畳むことで形成された容器と、前記第１の折れ線に沿って折り畳み、かつ前記第１の折れ線に沿って折り畳んだ向きとは逆向きに前記第３の折れ線に沿って折り畳むことで形成された容器とが、異なる形状を有することを特徴とする。
【０００５】
本考案の折り畳み式容器は、前記本考案の折り畳み式容器用シートを折り畳むことにより形成されることを特徴とする。
【考案の効果】
【０００６】
本考案の折り畳み式容器用シートは、第１の折れ線、第２の折れ線および第３の折れ線が、前述のように配置されている。このため、本考案のシートを、前記第１の折れ線に沿って折り畳み、かつ前記第１の折れ線に沿って折り畳んだ向きとは逆向きに前記第２の折れ線に沿って折り畳んだ場合と、前記第１の折れ線に沿って折り畳み、かつ前記第１の折れ線に沿って折り畳んだ向きとは逆向きに前記第３の折れ線に沿って折り畳んだ場合とで、異なる形状の容器を形成することができる。よって、本考案の折り畳み式容器用シートは、一枚のシートから複数の形状の容器を形成することができる。
【考案を実施するための最良の形態】
【０００７】
本考案において、「折れ線」とは、折り目を示す線を意味する。前記折れ線は、特に制限されず、例えば、筋押し線、ミシン目、印刷された線、描かれた線等があげられ、実線、点線、破線等でもよい。
【０００８】
本発明において、「周縁に達する」とは、前記第１の折れ線、前記第２の折れ線および前記第３の折れ線のいずれもが、完全に周縁に達していてもよいし、前記第１の折れ線、前記第２の折れ線および前記第３の折れ線の少なくとも一本の折れ線が、わずかに周縁に達していなくてもよいことを意味する。
【０００９】
前記第１の折れ線、前記第２の折れ線および前記第３の折れ線が、曲線である場合、「前記第１の折れ線と前記第２の折れ線とのなす角」、「前記第１の折れ線と前記第３の折れ線とのなす角」および「前記第２の折れ線と前記第３の折れ線とのなす角」とは、それぞれ、その交点におけるそれぞれの接線同士がなす角を意味する。
【００１０】
本考案において、「自立可能」とは、前記本考案のシートを折り畳むことにより形成される折り畳み式容器が、外部の支持を必要とせずに直立が可能であることを意味する。
【００１１】
本考案の折り畳み式容器用シートにおいて、前記第１の折れ線と前記第２の折れ線とのなす角は、１８０度以下であることが好ましい。
【００１２】
本考案の折り畳み式容器用シートにおいて、前記第１の折れ線と前記第３の折れ線とのなす角と、前記第２の折れ線と前記第３の折れ線とのなす角とが略同一であることが好ましい。
【００１３】
本考案の折り畳み式容器用シートにおいて、前記第１の折れ線、前記第２の折れ線および前記第３の折れ線は、曲線であってもよいが、直線であることが好ましい。
【００１４】
本考案の折り畳み式容器用シートにおいて、前記シートの形状は、略正方形であり、
前記第１の折れ線は、前記シートの周縁の一辺に対して略垂直であり、
前記第２の折れ線は、前記一辺と隣接する辺に対して略垂直であることが好ましい。
【００１５】
本考案の折り畳み式容器用シートは、さらに、容器の底部を形成するための円形折れ線を備え、
前記円形折れ線の中心は、前記シートの前記中心付近の一点であり、
容器形成時に前記円形折れ線に沿って、容器の内側に向かって谷折りに折り畳むことで、自立可能な形状の容器を形成可能である。
【００１６】
本考案の折り畳み式容器用シートにおいて、前記シートの材質としては、例えば、紙、ポリプロピレン、ポリエチレン、ポリオレフィン、ポリスチレン、ポリエステル、ポリエチレンテレフタレート、ポリカーボネート、ポリ乳酸等があげられる。
【００１７】
本考案の折り畳み式容器は、さらに、形状を保持するための形状保持手段を備えていてもよい。
【００１８】
本考案の折り畳み式容器において、前記形状保持手段は、前記シートに形成された係止片であってもよいし、前記シートとは別部材の挟持手段であってもよいし、前記シートに形成された係止片および前記シートとは別部材の挟持手段の両方であってもよい。
【００１９】
本考案の折り畳み式容器において、前記内容物としては、例えば、液体、固体および半固形状物等があげられる。
【００２０】
本考案の折り畳み式容器は、飲食用容器、生花用容器等の用途に用いられることが好ましい。
【００２１】
本考案の折り畳み式容器用シートにおいて、前記第１の折れ線と前記第２の折れ線との外側部分（前記第３の折れ線の存在しない部分）は、容器の保持部の側面を形成することが好ましい。
【００２２】
つぎに、本考案の実施形態を、例を挙げて説明する。ただし、本考案は、下記の例に制限されるものではない。
【００２３】
（実施形態１）
１．本考案の折り畳み式容器用シート
図１に、本考案の折り畳み式容器用シートの一例を示す。図示のように、この例の折り畳み式容器用シート１０（以下、「シート１０」という）は、正方形である。前記正方形の４つの頂点には、角Ｒが形成されている。前記角Ｒとは、前記正方形の４つの頂点に形成された丸みを意味する。前記シート１０は、第１の折れ線１１、第２の折れ線１２および第３の折れ線１３を備える。前記第１の折れ線１１、前記第２の折れ線１２および前記第３の折れ線１３は、それぞれ直線である。前記第１の折れ線１１、前記第２の折れ線１２および前記第３の折れ線１３は、前記シート１０の中心付近の一点１４から径方向に沿って周縁に達するまで伸びている。前記第１の折れ線１１は、前記シート１０の周縁（同図において、右側の辺）に対して直交している（この交点を交点１５とする）。前記第２の折れ線１２は、前記第１の折れ線１１と直交する辺に隣接する辺（同図において、上側の辺）に対して直交している（この交点を交点１６とする）。前記第３の折れ線１３は、前記第１の折れ線１１と前記第２の折れ線１２とのなす小さい角（同図において、約９０度）の内側に存在している。前記第３の折れ線１３は、前記シート１０の頂点付近（同図において、右上の頂点に形成された角Ｒ付近）に達する（この交点を交点１７とする）。前記第１の折れ線１１と前記第３の折れ線１３とのなす角度と、前記第２の折れ線１２と前記第３の折れ線１３とのなす角度とは、略同一（同図において、約４５度）である。
【００２４】
前記シート１０は、さらに、容器の縁部を形成するための第１の円形折れ線１８、容器の底部を形成するための第２の円形折れ線１９、および容器内部に平坦部を形成するための第３の円形折れ線２０を備える。前記第１の円形折れ線１８、前記第２の円形折れ線１９および前記第３の円形折れ線２０は、それぞれ前記シート１０の前記中心付近の一点１４を中心とする。前記第１の円形折れ線１８は、前記第２の円形折れ線１９より大きな直径を有する。前記第２の円形折れ線１９は、前記第３の円形折れ線２０より大きな直径を有する。
【００２５】
前記シート１０の一辺の長さＡは、特に限定されない。前記シート１０の一辺の長さＡを調節することで容器の大きさを調節することができる。前記シート１０の一辺の長さＡは、形成される容器の目的に応じて適宜選択すればよい。前記シート１０の一辺の長さＡは、例えば、１００ｍｍ〜４００ｍｍの範囲であり、好ましくは１８０ｍｍ〜３３０ｍｍの範囲であり、より好ましくは２００ｍｍ〜２４０ｍｍの範囲である。
【００２６】
前記シート１０の一辺の長さＡと、前記第１の円形折れ線１８の直径Ｂと、前記第２の円形折れ線１９の直径Ｃとの比（Ａ：Ｂ：Ｃ）は、特に限定されないが、例えば、１１〜１３：８〜１０：３〜５である。前記比を前記範囲とすることで、美感により優れ、かつ保持部の容積の大きさと容器の自立安定性とのバランスにより優れた容器を形成することができる。前記比は、好ましくは１１〜１２：９〜１０：３．５〜４．５であり、より好ましくは１１：１０：４である。
【００２７】
前述のとおり、この例のシート１０の形状は、正方形である。ただし、本考案の折り畳み式容器用シートの形状は、この例に限定されない。前記シート１０の形状は、例えば、長方形、円形、楕円形等であってもよい。前記シート１０の形状を円形とすれば、例えば、前記シート１０を折り畳むことにより形成される容器の縁部を円形にすることができる。
【００２８】
前記シート１０の材質は、特に限定されず、例えば、紙、ポリプロピレン、ポリエチレン、ポリオレフィン、ポリスチレン、ポリエステル、ポリエチレンテレフタレート、ポリカーボネート、ポリ乳酸等があげられる。これらの中でも、ポリプロピレンが特に好ましい。
【００２９】
前記シート１０の材質が紙である場合は、前記紙は、コーティング等の表面加工をした紙であってもよい。前記シート１０が前記表面加工した紙であれば、折り畳むことにより形成される容器を、例えば、液体等の内容物を長時間保持する容器に用いることが可能である。
【００３０】
前記シート１０の厚みは、特に限定されず、例えば、０．１ｍｍ〜０．８ｍｍの範囲であり、好ましくは０．２ｍｍ〜０．５ｍｍの範囲であり、より好ましくは０．３ｍｍ〜０．４ｍｍの範囲である。また、前記シート１０の色調も、特に限定されず、例えば、無色透明、色透明、白色、黒色、木目調、石目調、大理石調、和紙調等があげられる。また、前記シート１０の表面形状も、特に限定されず、例えば、平滑、梨地、皮シボ調、ヘアライン調等があげられる。
【００３１】
前記シート１０の材質、厚み、色調、表面形状等は、形成される容器の用途（例えば、内容物の温度や重量、容器の使用期間など）、形状（例えば、深型の容器など）、美感（例えば、高級感など）等に応じて選択することが好ましい。前記シート１０として、例えば、大理石調や和紙調等の高級感のある色調のシートを選択することで、高級感のある容器を形成することができる折り畳み式容器用シートとすることができる。
【００３２】
前記シート１０は、前述の材質、厚み、色調、表面形状等を有する母材から製造することができる。前記シート１０は、例えば、前記母材を前記シート１０の形状に切断し、かつ前述の折れ線を筋押しすることのできる金型（抜き型）を用いる抜き加工により製造することができる。ただし、前記シート１０の製造方法は、この例に限定されない。また、前記シート１０を、折り畳むための帯状の耳形状等の突起部分や、切り込み等の無いシンプルな形状とすることにより、その製造において、母材を無駄なく使用することができる。これにより、廃棄物を少なくすることができ、生産コストを低くすることが可能である等の経済性に優れるとともに、環境にも優しい。
【００３３】
前記シート１０は、嵩張らない一枚のシートの状態で保管・輸送等が可能であるため、例えば、保管・輸送等におけるコストを低くすることも可能である。
【００３４】
２．本考案の折り畳み式容器
前述のとおり、本考案の折り畳み式容器は、本考案の折り畳み式容器用シートを折り畳むことにより形成される。以下に、前記シート１０を用いた場合を例にとり、詳細に説明する。
【００３５】
（１）第１の形状の折り畳み式容器
まず、図２を参照して、前記シート１０の折り畳み方法の一例を説明する。同図において、図１と同一部分には、同一符号を付している。図示のように、前記シート１０を、前記第１の折れ線１１に沿って山折りに折り畳み、前記第２の折れ線１２に沿って前記第１の折れ線１１に沿って折り畳んだ向きとは逆向き、すなわち、谷折りに折り畳む。この例においては、前記第１の折れ線と前記第２の折れ線とのなす小さい角（約９０度）に向かって折り畳むことにより、前記第１の折れ線と前記第２の折れ線とのなす小さい角の外側部分が、容器の保持部２１の側面を形成する。
【００３６】
前記保持部２１を形成するとともに、さらに、前記シート１０を、前記第１の円形折れ線１８に沿って山折りに折り畳むことで縁部２２を形成する。また、前記シート１０を、前記第２の円形折れ線１９に沿って容器の内側に向かって谷折りに折り畳むことで容器の底部２３を形成する。また、前記シート１０を、前記第３の円形折れ線２０に沿って容器下方に向かって山折りに折り畳むことで容器内部に平坦部２４を形成する。
【００３７】
この例の折り畳み方法では、前記シート１０を、前記第１の折れ線１１に沿って山折りに折り畳み、前記第２の折れ線１２に沿って谷折りに折り畳んでいる。ただし、前記折り畳み方法は、この例に限定されない。前記折り畳み方法では、前記シート１０を、前記第１の折れ線１１に沿って谷折りに折り畳み、前記第２の折れ線１２に沿って山折りに折り畳むことによっても保持部２１を形成することができる。また、この例の折り畳み方法では、前記保持部２１を形成するとともに、前記縁部２２、前記底部２３および前記平坦部２４を形成する。ただし、前記折り畳み方法は、この例に限定されない。前記折り畳み方法では、前記保持部２１を形成した後に、前記縁部２２、前記底部２３および前記平坦部２４を形成してもよい。
【００３８】
図３に、この例の折り畳み方法により形成される折り畳み式容器を示す。この折り畳み式容器を、第１の形状の折り畳み式容器３０（以下、「第１の形状の容器３０」という）とする。同図において、図２と同一部分には、同一符号を付している。図示のとおり、前記第１の形状の容器３０は、保持部２１と、縁部２２と、底部２３と、平坦部２４とを備える。前記保持部２１は、前記シート１０における前記第１の円形折れ線１８の内側部分に対応する箇所であり、その形状は、容器上方に向かって開口した略円錐形である。前記縁部２２は、前記シート１０における前記第１の円形折れ線１８の外側部分に対応する箇所であり、前記保持部２１の上端部の全周に形成されている。前記底部２３は、前記シート１０における前記第２の円形折れ線１９に対応する箇所である。前述のように、前記底部２３は、前記シート１０における前記第１の円形折れ線１８の内側に配置されている前記第２の円形折れ線１９に沿って、容器の内側に向かって谷折りに折り畳むことにより形成されている。すなわち、前記底部２３は、円形であり、前記保持部２１の下端部である。前記平坦部２４は、前記シート１０における前記第３の円形折れ線２０に対応する箇所である。前述のように、前記平坦部２４は、前記シート１０における前記第２の円形折れ線１９の内側に配置されている前記第３の円形折れ線２０に沿って、容器下方に向かって山折りに折り畳むことより形成されている。すなわち、前記平坦部２４は、円形であり、前記保持部２１の内部に位置する。この例の第１の形状の容器３０には、前記平坦部２４が形成されている。ただし、前記第１の形状の容器３０は、この例に限定されない。前記第１の形状の容器３０には、例えば、その用途によっては、前記シート１０における前記第３の円形折れ線２０に沿って、容器下方に向かって山折りに折り畳まないことで、前記平坦部２４が形成されなくてもよい。
【００３９】
前記シート１０における前記第１の円形折れ線１８の直径Ｂの大きさを調節することで、前記保持部２１の高さ（容器の深さ）および上端部の大きさ（容器開口部の広さ）を調節することができる。また、前記シート１０における前記シート１０の一辺の長さＡと前記第１の円形折れ線１８の直径Ｂとの差（Ａ−Ｂ）の大きさを調節することで、前記縁部２２の大きさを調節することができる。また、前記シート１０における前記第２の円形折れ線１９の直径Ｃの大きさを調節することで、前記底部２３の大きさを調節することができる。また、前記シート１０における前記第３の円形折れ線２０の直径の大きさを調節することで、前記平坦部２４の大きさを調節することができる。
【００４０】
前記第１の形状の容器３０は、図示のとおり、前記シート１０を折り畳むことにより形成される折り畳み式容器のうち、保持部の高さが大きく（深さのある容器であり）、保持部の上端部の大きさが小さい（開口部の狭い）容器である。
【００４１】
前記第１の形状の容器３０は、さらに、形状保持手段（図示せず）を備えてもよい。前記形状保持手段としては、例えば、前記シート１０とは別部材の挟持手段があげられる。前記挟持手段は、例えば、前記シート１０の周縁上の前記交点１５に対応する箇所付近（同図において、二点鎖線で囲われた箇所：挟持手段取付部３１）、および前記シート１０の周縁上の前記交点１６に対応する箇所付近（図示せず）の少なくとも一方に取り付けることが好ましい。前記挟持手段を取り付けることにより、前記挟持手段を取り付けない場合よりも、形成された容器の形状をより保持しやすくなる。前記挟持手段としては、例えば、ゼムクリップ、ターンクリップ等があげられる。
【００４２】
（２）第２の形状の折り畳み式容器
つぎに、図４を参照して、前記シート１０の折り畳み方法のその他の例を説明する。同図において、図１と同一部分には、同一符号を付している。図示のように、前記シート１０を、前記第１の折れ線１１に沿って山折りに折り畳み、前記第３の折れ線１３に沿って前記第１の折れ線１１に沿って折り畳んだ向きとは逆向き、すなわち、谷折りに折り畳む。この例においては、前記第１の折れ線と前記第３の折れ線とのなす小さい角（約４５度）に向かって折り畳むことにより、前記第１の折れ線と前記第３の折れ線とのなす小さい角の外側部分が、容器の保持部４１の側面を形成する。
【００４３】
前記保持部４１を形成するとともに、さらに、前記シート１０を、前記第１の円形折れ線１８に沿って山折りに折り畳むことで縁部４２を形成する。また、前記シート１０を、前記第２の円形折れ線１９に沿って容器の内側に向かって谷折りに折り畳むことで容器の底部４３を形成する。また、前記シート１０を、前記第３の円形折れ線２０に沿って容器下方に向かって山折りに折り畳むことで容器内部に平坦部４４を形成する。
【００４４】
この例の折り畳み方法では、前記シート１０を、前記第１の折れ線１１に沿って山折りに折り畳み、前記第３の折れ線１３に沿って谷折りに折り畳んでいる。ただし、前記折り畳み方法は、この例に限定されない。前記折り畳み方法では、前記シート１０を、前記第１の折れ線１１に沿って谷折りに折り畳み、前記第３の折れ線１３に沿って山折りに折り畳むことによっても保持部４１を形成することができる。また、この例の折り畳み方法では、前記保持部４１を形成するとともに、前記縁部４２、前記底部４３および前記平坦部４４を形成する。ただし、前記折り畳み方法は、この例に限定されない。前記折り畳み方法では、前記保持部４１を形成した後に、前記縁部４２、前記底部４３および前記平坦部４４を形成してもよい。
【００４５】
図５に、この例の折り畳み方法により形成される折り畳み式容器を示す。この折り畳み式容器を、第２の形状の折り畳み式容器５０（以下、「第２の形状の容器５０」という）とする。同図において、図４と同一部分には、同一符号を付している。図示のとおり、前記第２の形状の容器５０は、保持部４１と、縁部４２と、底部４３と、平坦部４４とを備える。前記保持部４１は、前記シート１０における前記第１の円形折れ線１８の内側部分に対応する箇所であり、その形状は、容器上方に向かって開口した略円錐形である。前記縁部４２は、前記シート１０における前記第１の円形折れ線１８の外側部分に対応する箇所であり、前記保持部４１の上端部の全周に形成されている。前記底部４３は、前記シート１０における前記第２の円形折れ線１９に対応する箇所である。前述のように、前記底部４３は、前記シート１０における前記第１の円形折れ線１８の内側に配置されている前記第２の円形折れ線１９に沿って、容器の内側に向かって谷折りに折り畳むことにより形成されている。すなわち、前記底部４３は、円形であり、前記保持部４１の下端部である。前記平坦部４４は、前記シート１０における前記第３の円形折れ線２０に対応する箇所である。前述のように、前記平坦部４４は、前記シート１０における前記第２の円形折れ線１９の内側に配置されている前記第３の円形折れ線２０に沿って、容器下方に向かって山折りに折り畳むことより形成されている。すなわち、前記平坦部４４は、円形であり、前記保持部４１の内部に位置する。この例の第２の形状の容器５０には、前記平坦部４４が形成されている。ただし、前記第２の形状の容器５０は、この例に限定されない。前記第１の形状の容器５０には、例えば、その用途によっては、前記シート１０における前記第３の円形折れ線２０に沿って、容器下方に向かって山折りに折り畳まないことで、前記平坦部４４が形成されなくてもよい。
【００４６】
前記保持部４１の高さ（容器の深さ）および上端部の大きさ（容器開口部の広さ）、前記縁部４２の大きさ、前記底部４３の大きさ、並びに前記平坦部４４の大きさは、前記第１の形状の容器３０と同様にすることで、調節することができる。
【００４７】
前記第２の形状の容器５０は、図示のとおり、前記シート１０を折り畳むことにより形成される折り畳み式容器のうち、保持部の高さが小さく（浅い容器であり）、保持部の上端部の大きさが大きい（開口部が広い）容器である。
【００４８】
前記第２の形状の容器５０は、さらに、形状保持手段（図示せず）を備えてもよい。前記形状保持手段としては、例えば、前記シート１０とは別部材の挟持手段があげられる。前記挟持手段は、例えば、前記シート１０の周縁上の前記交点１５に対応する箇所付近（同図において、二点鎖線で囲われた箇所：挟持手段取付部５１）に取り付けることが好ましい。前記挟持手段を取り付けることにより、前記挟持手段を取り付けない場合よりも、形成された容器の形状をより保持しやすくなる。前記挟持手段としては、前記第１の形状の容器３０と同様のものがあげられる。
【００４９】
前記第１の形状の容器３０および前記第２の形状の容器５０に入れる内容物としては、例えば、液体、固体および半固形状物があげられる。前記第１の形状の容器３０および前記第２の形状の容器５０は、前記シート１０を、前述のように折り畳むことで保持部（保持部２１および４１）を形成することができ、かつ切り込み等が形成されていないため、例えば、前記内容物が液体や半固形状物であっても漏れることがほとんど無い。また、折り畳みの際に、接着剤や両面テープ等を用いなくても容器の形状を保持することができるため、例えば、衛生面でも安全である。
【００５０】
前記第１の形状の容器３０および前記第２の形状の容器５０には、前記シート１０を、前述のように折り畳むことで縁部（縁部２２および４２）が形成されている。この縁部を持つことで容器を持つことができるため、例えば、容器に入っている内容物が高温であっても、火傷等の心配をすることなく容器を持つことができる。また、前記縁部には角Ｒ（前記シート１０の頂点に形成された角Ｒに対応する部分）が形成されている。このため、例えば、人を傷つける可能性がほとんど無く安全である。
【００５１】
前記第１の形状の容器３０および前記第２の形状の容器５０には、前記シート１０を、前述のように折り畳むことで底部（底部２３および４３）が形成されている。このため、前記第１の形状の容器３０および前記第２の形状の容器５０は、自立可能である。
【００５２】
３．本考案の折り畳み式容器の用途
前述のとおり、前記第１の形状の容器３０および前記第２の形状の容器５０は、例えば、飲食用容器、生花用容器等の用途に用いることができる。以下に、前記第１の形状の容器３０および前記第２の形状の容器５０を、前記飲食用容器として用いる場合について具体的に説明する。前記飲食用容器として、例えば、ジュースやスープ等の飲み物を入れるための深さのある容器（例えば、コップ）が必要な場合には、例えば、前記第１の形状の容器３０を、前記シート１０から形成して用いればよい。一方、前記飲食用容器として料理を入れるための浅い容器（例えば、取り皿や盛り皿）が必要な場合には、例えば、前記第２の形状の容器５０を、前記シート１０から形成して用いればよい。このように、異なる形状を有する飲食用容器を、前記シート１０を前述の２通りの折り畳み方法により折り畳むだけで一枚のシートから形成することができる。
【００５３】
つぎに、前記第１の形状の容器３０および前記第２の形状の容器５０を、前記生花用容器として用いる場合について具体的に説明する。前記第１の形状の容器３０および前記第２の形状の容器５０には、前記シート１０を、前述のように折り畳むことで容器内部に平坦部（平坦部２４および４４）が形成されている。この平坦部上に、例えば、剣山等を設置することが可能である。このため、前記第１の形状の容器３０および前記第２の形状の容器５０は、前記生花用容器としても好適に用いることができる。
【００５４】
前記第１の形状の容器３０および前記第２の形状の容器５０は、例えば、使用後に展開してシート状に戻し、洗浄することにより使い捨てることなく繰り返し使用することが可能である。このように、容器として使用しないときはシート状に展開した状態で保管することができるため収納に場所をとらない。また、前記第１の形状の容器３０および前記第２の形状の容器５０は、例えば、病院などでの飲食用容器として使用する場合、衛生上の観点から使い捨ててもよい。
【００５５】
なお、前記シート１０は、前述のとおり、３本の折れ線を備えているが、前記折れ線の本数は、３本以上であればよい。すなわち、前記シート１０は、さらに、第４の折れ線（図示せず）を備えていてもよい。前記第４の折れ線は、例えば、前記シート１０の前記中心付近の点１４から径方向に沿って周縁に達するまで放射状に伸びる直線であり、かつ第１の折れ線１１と前記第３の折れ線１３とのなす小さい角（約４５度）の内側に存在している。前記第４の折れ線が形成されたシートを、例えば、前記第１の折れ線１１に沿って山折りに折り畳み、前記第４の折れ線に沿って前記第１の折れ線１１に沿って折り畳んだ向きとは逆向き、すなわち、谷折りに折り畳むことで前記第１の形状の容器３０および前記第２の形状の容器５０のいずれとも異なる形状を有する第３の形状の容器を形成することができる。すなわち、一枚のシートである前記シート１０から、異なる形状を有する３通りの容器を形成することができる。このように、前記シート１０は、折れ線を増やすことで、３通り以上の異なる形状を有する容器を一枚のシートから形成することが可能である。
【００５６】
つぎに、本考案の実施形態のその他の例について説明する。
【００５７】
（実施形態２）
１．本考案の折り畳み式容器用シート
図６に、本考案の折り畳み式容器用シートのその他の例を示す。同図において、図１と同一部分には、同一符号を付している。図示のように、この例の折り畳み式容器用シート６０（以下、「シート６０」という）は、形状保持手段として係止片６１が形成されている。この点を除いて、前記シート６０は、前記シート１０と同様である。前記係止片６１は、前記第１の円形折れ線１８のすぐ外側であって、前記第１の折れ線１１と直交する辺における前記交点１７の反対側の端部付近（同図において、右下の頂点付近）に形成されている。この例のシート６０では、前記係止片６１のみが形成されている。ただし、前記シート６０は、この例に限定されない。前記シート６０には、前記係止片６１に対応する箇所（例えば、前記第１の円形折れ線１８の外側であって、前記第３の折れ線１３上の箇所）に係止片挿入孔を備えていてもよい。
【００５８】
前記シート６０の一辺の長さＡ、および前記シート６０の一辺の長さＡと、前記第１の円形折れ線１８の直径Ｂと、前記第２の円形折れ線１９の直径Ｃとの比（Ａ：Ｂ：Ｃ）は、前記シート１０と同様である。
【００５９】
前記シート６０の材質、厚み、色調および表面形状は、前記シート１０と同様である。
【００６０】
前記シート６０の製造方法は、特に限定されない。前記シート６０は、前記シート１０と同様に前記母材を前記シート６０の形状に切断し、かつ前述の折れ線を筋押しするとともに、前記係止片６１を形成する（切り込む）ことのできる金型（抜き型）を用いる抜き加工により製造することができる。ただし、前記シート６０の製造方法は、この例に限定されない。
【００６１】
前記シート６０は、前記シート１０と同様に嵩張らない一枚のシートの状態で保管・輸送等が可能であるため、例えば、保管・輸送等におけるコストを低くすることも可能である。
【００６２】
２．本考案の折り畳み式容器
前述のとおり、本考案の折り畳み式容器は、本考案の折り畳み式容器用シートを折り畳むことにより形成される。以下に、前記シート６０を用いた場合を例にとり、詳細に説明する。
【００６３】
（１）第１の形状の折り畳み式容器
前記シート１０における前記第１の形状の容器３０を形成するための折り畳み方法と同様にして、前記シート６０を折り畳むことができる。この例の場合は、前記係止片６１を形状保持時手段として用いない。ただし、前記折り畳み方法は、この例に限定されない。例えば、前述のように前記シート６０に前記係止片挿入孔が形成されていれば、前記第１の折れ線１１と前記第２の折れ線１２とに沿って折り畳んだ際に、前記係止片６１と前記係止片挿入孔とが重なるため、前記係止片６１を前記係止片挿入孔に挿入することができる。このような場合は、前記係止片６１を形状保持手段として用いることとなる。
【００６４】
図７に、前記折り畳み方法により形成される折り畳み式容器を示す。この折り畳み式容器を、第１の形状の折り畳み式容器７０（以下、「第１の形状の容器７０」という）とする。同図において、図３と同一部分には、同一符号を付している。図示のとおり、前記第１の形状の容器７０は、前記係止片６１を備えていることを除いて、前記シート１０における前記第１の形状の容器３０と同様である。前記第１の形状の容器７０においては、前記係止片６１は容器の形状を保持するために用いられていない。
【００６５】
前記第１の形状の容器７０は、前記シート６０とは別部材の挟持手段を備えてもよい。前記挟持手段は、例えば、前記シート１０における前記第１の形状の容器３０と同様の箇所（同図において、二点鎖線で囲われた箇所：挟持手段取付部７１）に取り付けることが好ましい。前記挟持手段を取り付けることにより、前記挟持手段を取り付けない場合よりも、形成された容器の形状をより保持しやすくなる。前記挟持手段としては、前記シート１０における前記第１の形状の容器３０と同様のものがあげられる。
【００６６】
（２）第２の形状の折り畳み式容器
前記係止片６１を用いること以外は、前記シート１０における前記第２の形状の容器５０を形成するための折り畳み方法と同様にして、前記シート６０を折り畳むことができる。前記係止片６１は、例えば、以下のようにして用いる。すなわち、前記第１の折れ線１１と前記第３の折れ線１３とに沿って折り畳む際に、前記係止片６１と前記第３の折れ線１３に沿って折り畳まれた箇所とが重なるため、前記係止片６１を前記第３の折れ線１３に沿って折り畳まれた箇所に引っ掛けることができる。
【００６７】
図８に、前記折り畳み方法により形成される折り畳み式容器を示す。この折り畳み式容器を、第２の形状の折り畳み式容器８０（以下、「第２の形状の容器８０」という）とする。同図において、図５と同一部分には、同一符号を付している。図示のとおり、前記第２の形状の容器８０は、前記係止片６１が前記第３の折れ線１３に沿って折り畳まれた箇所に引っ掛けられている。これにより、形成された容器の形状をより保持しやすくなる。なお、前記第２の形状の容器８０は、さらに前記シート６０とは別部材の挟持手段を備えてもよい。前記挟持手段は、例えば、前記シート１０における前記第２の形状の容器５０と同様の箇所（同図において、二点鎖線で囲われた箇所：挟持手段取付部８１）に取り付けることが好ましい。前記挟持手段を取り付けることにより、形成された容器の形状をさらに保持しやすくなる。
【００６８】
前記第１の形状の容器７０および前記第２の形状の容器８０は、前記シート１０における前記第１の形状の容器３０および前記第２の形状の容器５０と同様の特性を有している。
【００６９】
３．本考案の折り畳み式容器の用途
前記第１の形状の容器７０および前記第２の形状の容器８０の用途は、前記シート１０における前記第１の形状の容器３０および前記第２の形状の容器５０と同様である。
【産業上の利用可能性】
【００７０】
以上のように、本考案の折り畳み式容器用シートは、一枚のシートから複数の形状の容器を形成することができる。本考案の折り畳み式容器用シートを折り畳むことにより形成される本考案の折り畳み式容器は、例えば、飲食用容器、生花用容器等に用いることができる。ただし、本考案は、前述の用途には限定されず、広い分野に適用可能である。
【図面の簡単な説明】
【００７１】
【図１】図１は、実施形態１における本考案の折り畳み式容器用シートの一例を示す平面図である。
【図２】図２は、実施形態１の折り畳み式容器用シートの折り畳み方法の一例を説明する斜視図である。
【図３】図３は、実施形態１における本考案の折り畳み式容器の一例を示す斜視図である。
【図４】図４は、実施形態１の折り畳み式容器用シートの折り畳み方法のその他の例を説明する斜視図である。
【図５】図５は、実施形態１における本考案の折り畳み式容器のその他の例を示す斜視図である。
【図６】図６は、実施形態２における本考案の折り畳み式容器用シートの一例を示す平面図である。
【図７】図７は、実施形態２における本考案の折り畳み式容器の一例を示す斜視図である。
【図８】図８は、実施形態２における本考案の折り畳み式容器のその他の例を示す斜視図である。
【符号の説明】
【００７２】
１０、６０                  折り畳み式容器用シート
１１                        第１の折れ線
１２                        第２の折れ線
１３                        第３の折れ線
１４                        中心付近の一点
１５                        第１の折れ線とシート周縁との交点
１６                        第２の折れ線とシート周縁との交点
１７                        第３の折れ線とシート周縁との交点
１８                        第１の円形折れ線
１９                        第２の円形折れ線
２０                        第３の円形折れ線
２１、４１                  保持部
２２、４２                  縁部
２３、４３                  底部
２４、４４                  平坦部
３０、５０、７０、８０      折り畳み式容器
３１、５１、７１、８１      挟持手段取付部
６１                        係止片
【図１】
0003147691.tif 000003
【図２】
0003147691.tif 000004
【図３】
0003147691.tif 000005
【図４】
0003147691.tif 000006
【図５】
0003147691.tif 000007
【図６】
0003147691.tif 000008
【図７】
0003147691.tif 000009
【図８】
0003147691.tif 000010